【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
第１の電極と第２の電極との間に、第１の発光層と、第２の発光層と、第３の発光層と、を有し、
前記第２の発光層は、前記第１の発光層と前記第３の発光層との間に位置し、
前記第１の発光層は、芳香族アミン骨格およびπ電子過剰型複素芳香環の少なくともいずれか一を有する第１の化合物と、π電子不足型複素芳香環とを有する第２の化合物と、第１の燐光性化合物と、を有し、
前記第２の発光層は、芳香族アミン骨格およびπ電子過剰型複素芳香環の少なくともいずれか一を有する第３の化合物と、π電子不足型複素芳香環とを有する第４の化合物と、第２の燐光性化合物と、を有し、
前記第３の発光層は、芳香族アミン骨格およびπ電子過剰型複素芳香環の少なくともいずれか一を有する第５の化合物と、π電子不足型複素芳香環とを有する第６の化合物と、第３の燐光性化合物と、を有し、
前記第１の化合物と前記第２の化合物とは、励起錯体を形成する組み合わせであり、
前記第３の化合物と前記第４の化合物とは、励起錯体を形成する組み合わせであり、
前記第５の化合物と前記第６の化合物とは、励起錯体を形成する組み合わせであり、
前記第３の燐光性化合物のＴ１準位は、前記第１の燐光性化合物のＴ１準位よりも高く、
前記第１の燐光性化合物のＴ１準位は、前記第２の燐光性化合物のＴ１準位よりも高い発光素子。
【請求項２】
第１の電極と第２の電極との間に、第１の発光層と、第２の発光層と、第３の発光層と、を有し、
前記第２の発光層は、前記第１の発光層と前記第３の発光層との間に位置し、
前記第１の発光層は、芳香族アミン骨格を有する化合物、カルバゾール骨格を有する化合物、チオフェン骨格を有する化合物、又はフラン骨格を有する化合物のいずれか一である第１の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第２の化合物と、第１の燐光性化合物と、を有し、
前記第２の発光層は、芳香族アミン骨格を有する化合物、カルバゾール骨格を有する化合物、チオフェン骨格を有する化合物、又はフラン骨格を有する化合物のいずれか一である第３の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第４の化合物と、第２の燐光性化合物と、を有し、
前記第３の発光層は、芳香族アミン骨格を有する化合物、カルバゾール骨格を有する化合物、チオフェン骨格を有する化合物、又はフラン骨格を有する化合物のいずれか一である第５の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第６の化合物と、第３の燐光性化合物と、を有し、
前記第１の化合物と前記第２の化合物とは、励起錯体を形成する組み合わせであり、
前記第３の化合物と前記第４の化合物とは、励起錯体を形成する組み合わせであり、
前記第５の化合物と前記第６の化合物とは、励起錯体を形成する組み合わせであり、
前記第３の燐光性化合物のＴ１準位は、前記第１の燐光性化合物のＴ１準位よりも高く、
前記第１の燐光性化合物のＴ１準位は、前記第２の燐光性化合物のＴ１準位よりも高い発光素子。
【請求項３】
第１の電極と第２の電極との間に、第１の発光層と、第２の発光層と、第３の発光層と、を有し、
前記第２の発光層は、前記第１の発光層と前記第３の発光層との間に位置し、
前記第１の発光層は、芳香族アミン骨格およびπ電子過剰型複素芳香環の少なくともいずれか一を有する第１の化合物と、π電子不足型複素芳香環とを有する第２の化合物と、第１の燐光性化合物と、を有し、
前記第２の発光層は、芳香族アミン骨格およびπ電子過剰型複素芳香環の少なくともいずれか一を有する第３の化合物と、π電子不足型複素芳香環とを有する第４の化合物と、第２の燐光性化合物と、を有し、
前記第３の発光層は、芳香族アミン骨格およびπ電子過剰型複素芳香環の少なくともいずれか一を有する第５の化合物と、π電子不足型複素芳香環とを有する第６の化合物と、第３の燐光性化合物と、を有し、
前記第１の化合物と前記第２の化合物とは、励起錯体を形成する組み合わせであり、
前記第３の化合物と前記第４の化合物とは、励起錯体を形成する組み合わせであり、
前記第５の化合物と前記第６の化合物とは、励起錯体を形成する組み合わせであり、
前記第１の燐光性化合物、前記第２の燐光性化合物、前記第３の燐光性化合物のうち、前記第２の燐光性化合物の発光のピークが最も長波長側にあり、前記第３の燐光性化合物の発光のピークが最も短波長側にある発光素子。
【請求項４】
第１の電極と第２の電極との間に、第１の発光層と、第２の発光層と、第３の発光層と、を有し、
前記第２の発光層は、前記第１の発光層と前記第３の発光層との間に位置し、
前記第１の発光層は、芳香族アミン骨格を有する化合物、カルバゾール骨格を有する化合物、チオフェン骨格を有する化合物、又はフラン骨格を有する化合物のいずれか一である第１の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第２の化合物と、第１の燐光性化合物と、を有し、
前記第２の発光層は、芳香族アミン骨格を有する化合物、カルバゾール骨格を有する化合物、チオフェン骨格を有する化合物、又はフラン骨格を有する化合物のいずれか一である第３の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第４の化合物と、第２の燐光性化合物と、を有し、
前記第３の発光層は、芳香族アミン骨格を有する化合物、カルバゾール骨格を有する化合物、チオフェン骨格を有する化合物、又はフラン骨格を有する化合物のいずれか一である第５の化合物と、キノリン骨格又はベンゾキノリン骨格を有する金属錯体、オキサゾール系配位子又はチアゾール系配位子を有する金属錯体、ポリアゾール骨格を有する複素環化合物、キノキサリン骨格又はジベンゾキノキサリン骨格を有する複素環化合物、ジアジン骨格を有する複素環化合物、ピリジン骨格を有する複素環化合物のいずれか一である第６の化合物と、第３の燐光性化合物と、を有し、
前記第１の化合物と前記第２の化合物とは、励起錯体を形成する組み合わせであり、
前記第３の化合物と前記第４の化合物とは、励起錯体を形成する組み合わせであり、
前記第５の化合物と前記第６の化合物とは、励起錯体を形成する組み合わせであり、
前記第１の燐光性化合物、前記第２の燐光性化合物、前記第３の燐光性化合物のうち、前記第２の燐光性化合物の発光のピークが最も長波長側にあり、前記第３の燐光性化合物の発光のピークが最も短波長側にある発光素子。
【請求項５】
請求項１乃至請求項４のいずれか一において、
前記第１の化合物のＴ１準位は、前記第１の燐光性化合物のＴ１準位よりも高く、
前記第２の化合物のＴ１準位は、前記第１の燐光性化合物のＴ１準位よりも高く、
前記第３の化合物のＴ１準位は、前記第２の燐光性化合物のＴ１準位よりも高く、
前記第４の化合物のＴ１準位は、前記第２の燐光性化合物のＴ１準位よりも高く、
前記第５の化合物のＴ１準位は、前記第３の燐光性化合物のＴ１準位よりも高く、
前記第６の化合物のＴ１準位は、前記第３の燐光性化合物のＴ１準位よりも高い発光素子。
【請求項６】
請求項１乃至請求項５のいずれか一項において、
前記第１の燐光性化合物は、緑色の発光を呈し、
前記第２の燐光性化合物は、赤色の発光を呈し、
前記第３の燐光性化合物は、青色の発光を呈する発光素子。
【請求項７】
請求項１乃至請求項６のいずれか一項に記載の発光素子を有する照明装置。
【請求項８】
請求項１乃至請求項６のいずれか一項に記載の発光素子と、前記発光素子を制御する手段を有する発光装置。
【請求項９】
請求項８に記載の発光装置を表示部に有する電子機器。